(57)【要約】【課題】  衝撃によって点検カバーが外れたり破損したりするのを防ぐことができる上、メンテナンス性も良好な折戸装置を提供する。【解決手段】  折戸１０と、該折戸１０の上方に設けられた上枠４３と、該上枠４３に設けられて前記折戸１０の開閉動作を案内するガイド機構２０と、前記ガイド機構２０を戸厚方向側から覆う点検カバー５１と、全閉する際の前記折戸１０を戸厚方向側から受ける戸当り部材６０とを備えた折戸装置において、前記上枠４３は、不動部位に固定される本体部４３ａと、該本体部４３ａに固定されて前記ガイド機構２０を支持する支持片部４３ｂとを有し、前記戸当り部材６０は、前記上枠４３の支持片部４３ｂに止着され、前記点検カバー５１は、前記本体部４３ａに着脱可能に止着されている。【選択図】図１
2010144474.tif 000002
【特許請求の範囲】
【請求項１】
折戸と、該折戸の上方に設けられた上枠と、該上枠に設けられて前記折戸の開閉動作を案内するガイド機構と、前記ガイド機構を戸厚方向側から覆う点検カバーと、全閉する際の前記折戸を戸厚方向側から受ける戸当り部材とを備えた折戸装置において、
前記上枠は、不動部位に固定される本体部と、該本体部に固定されて前記ガイド機構を支持する支持片部とを有し、
前記戸当り部材は、前記上枠の支持片部に止着され、
前記点検カバーは、前記本体部に着脱可能に止着されていることを特徴とする折戸装置。
【請求項２】
前記折戸は、戸厚方向の一方と他方に折り曲げ可能に構成され、
前記戸当り部材は、前記支持片部の下端側に着脱可能に止着されていることを特徴とする請求項１記載の折戸装置。
【請求項３】
前記戸当り部材は、弾性材料からなり前記折戸を戸厚方向に受ける弾性部と、剛性材料からなり前記弾性部を支持する剛性部とを備え、該剛性部を前記上枠における支持片部の下端側に着脱可能に止着し、
前記点検カバーは、前記上枠の本体部に対し略垂下状に係合するとともに、その下端側を前記剛性部に対し着脱可能に止着していることを特徴とする請求項１記載の折戸装置。
【請求項４】
前記折戸は、基軸部を支点にして回動する第一の扉体と、該第一の扉体の戸先側に設けられた枢支部を支点にして回動する第二の扉体とを具備し、
前記戸当り部材は、全閉した際の前記折戸における前記基軸部の近傍から前記枢支部を跨ぐ範囲を受けるようにして設けられていることを特徴とする請求項１乃至３何れか１項記載の折戸装置。
【発明の詳細な説明】
【技術分野】
【０００１】
本発明は、折戸を折り曲げたり展開したりして開口部を開閉する折戸装置に関するものである。
【背景技術】
【０００２】
従来、この種の発明には、例えば、特許文献１に記載されたもののように、折り曲げられたり展開されたりして開閉動作する折戸（折り戸１）と、該折戸の開閉動作を案内するガイド機構（ガイドレール６，吊車１０等）と、該ガイド機構を戸厚方向側から覆う点検カバー（化粧カバー５７）と、全閉する際の前記折戸を戸厚方向側から受ける戸当り部材（戸当り５９）を具備した折戸装置がある。
この従来の折戸装置によれば、前記点検カバー（化粧カバー５７）を外して、前記ガイド機構等に対する点検やメンテナンスが可能である。
【０００３】
しかしながら、前記従来構造では、折戸（折り戸１）が全閉する度に、その全閉による衝撃が点検カバー（化粧カバー５７）の付け根に加わることになる。また、全閉状態の前記折戸に対し人や物等が寄りかかったり当接した場合にも、その際の押圧力は前記点検カバーの付け根に加わる。そのため、前記点検カバー及び戸当り部材が上枠から外れてしまったり破損してしまったり等するおそれがある。
そこて、点検カバーを上枠に対し頑強に止着することが提案されるが、このようにした場合には、点検カバーを着脱性が低下してメンテナンス性を損ねてしまうことになるため、工夫を要する。
【特許文献１】特開２００８−３１７８８号公報
【発明の開示】
【発明が解決しようとする課題】
【０００４】
本発明は上記従来事情に鑑みてなされたものであり、その課題とする処は、衝撃によって点検カバーが外れたり破損したりするのを防ぐことができる上、メンテナンス性も良好な折戸装置を提供することにある。
【課題を解決するための手段】
【０００５】
上記課題を解決するための技術的手段は、折戸と、該折戸の上方に設けられた上枠と、該上枠に設けられて前記折戸の開閉動作を案内するガイド機構と、前記ガイド機構を戸厚方向側から覆う点検カバーと、全閉する際の前記折戸を戸厚方向側から受ける戸当り部材とを備えた折戸装置において、前記上枠は、不動部位に固定される本体部と、該本体部に固定されて前記ガイド機構を支持する支持片部とを有し、前記戸当り部材は、前記上枠の支持片部に止着され、前記点検カバーは、前記本体部に着脱可能に止着されていることを特徴とする。
この構成によれば、戸当り部材が上枠の支持片部に止着され、点検カバーが本体部に対し着脱可能に止着されているため、折戸が戸当り部材に当接した際等の衝撃や押圧力が点検カバーに伝わり難い。よって、点検カバーの止着箇所が外れたり破損したり等するのを防ぐことができる上、点検カバーの着脱性を良好に維持することができる。
【０００６】
更なる技術的手段では、前記折戸は、戸厚方向の一方と他方に折り曲げ可能に構成され、前記戸当り部材は、前記支持片部の下端側に着脱可能に止着されていることを特徴とする。
この構成によれば、例えば非常時等に、戸当り部材を外して、折戸を戸厚方向における逆方向に折り曲げて開放することができる。また、戸当り部材を着脱できるのでメンテナンス性も向上する。
【０００７】
更なる技術的手段では、前記戸当り部材は、弾性材料からなり前記折戸を戸厚方向に受ける弾性部と、剛性材料からなり前記弾性部を支持する剛性部とを備え、該剛性部を前記上枠における支持片部の下端側に着脱可能に止着し、前記点検カバーは、前記上枠の本体部に対し略垂下状に係合するとともに、その下端側を前記剛性部に対し着脱可能に止着していることを特徴とする。
この構成によれば、折戸の全閉時の衝撃を弾性部の弾性によって効果的に緩衝することができる上、弾性部及び剛性部を支持片部から外せば、折戸を逆方向へ曲げて閉鎖動作させることができる。しかも、点検カバーは、剛性部を介して頑丈に止着される上、着脱性も良好である。
【０００８】
更なる技術的手段では、前記折戸は、基軸部を支点にして回動する第一の扉体と、該第一の扉体の戸先側に設けられた枢支部を支点にして回動する第二の扉体とを具備し、前記戸当り部材は、全閉した際の前記折戸における前記基軸部の近傍から前記枢支部を跨ぐ範囲を受けるようにして設けられていることを特徴とする。
この構成によれば、折戸が全閉する際、その折戸における基軸部の近傍から枢支部を跨ぐ範囲にわたって戸当り部材が当接する。そのため、例えば戸幅方向において局部的に戸当り部材を設けた場合と比較し、戸当り部材の受ける衝撃力を戸幅方向に分散することができ、ひいては、点検カバー及び戸当り部材の止着箇所の外れや変形、破損等を一層効果的に防ぐことができる。
【発明の効果】
【０００９】
本発明は、以上説明したように構成されているので、以下に記載されるような作用効果を奏する。
全閉時等の衝撃が点検カバーに伝わり難い構造であるため、点検カバーが外れたり破損したりするのを防ぐことができる上、点検カバーの着脱性を維持でき、メンテナンス性も良好である。
【発明を実施するための最良の形態】
【００１０】
以下、本発明の実施の形態を図面に基づいて説明する。
この折戸装置Ａは、折り曲げられたり展開されたりすることで開口部をその幅方向（図１によれば左右方向）へ開閉する折戸１０と、該折戸１０の開放動作をその上方側で案内するガイド機構２０と、折戸１０の閉鎖動作を補助する閉鎖補助機構３０と、前記折戸１０を左右方向側および上方側から囲む枠体４０と、ガイド機構２０を戸厚方向側から覆う点検カバー５１，５２と、全閉する際のガイド機構２０を戸厚方向側から受ける戸当り部材６０とを具備している（図１〜３参照）。
なお、折戸１０が折り曲げられる方向（換言すれば折り畳まれる方向）は、図５に示すように、通常時は第一の側（図示例によれば室内側）とされ、戸当り部材６０が外された非常時等には前記第一の側に対する逆方向側である第二の側（図示例によれば室外側）とすることも可能である。
【００１１】
折戸１０は、不動部位（図示例によれば床面や上枠等）の基軸部１を支点にして双方向へ回動可能な第一の扉体１１と、該第一の扉体１１の戸先側の枢支部２を支点にして双方向へ回動可能な第二の扉体１２と、該第二の扉体１２の更に戸先側の枢支部３を支点にして双方向へ回動可能な第三の扉体１３とからなる。
なお、第一の扉体１１において基軸部１を支点にした回動方向は、通常時は前記第一の側（図６によれば室内側）であり、非常時等には前記第二の側（図６によれば室外側）とすることも可能になる。
また、第二の扉体１２において枢支部２を支点にした回動方向は、通常時は前記第二の側（図６によれば室外側）であり、非常時等には前記第一の側（図６によれば室内側）とすることも可能になる。
また、第三の扉体１３は、第二の扉体１２との関係においては相対的に回動するが、枠体４０に対しては回動しないように維持される。
【００１２】
第一の扉体１１は、折戸１０の戸尻側の部分を形成する扉体である。この第一の扉体１１は、基軸部１を支点にして双方向へ回動可能であるが、図示例によれば、戸当り部材６０によって室外側への回動が規制されている。
【００１３】
基軸部１は、枠体４０の上枠４３に設けられた戸尻側吊車１ａと、床面に設けられた回転支持部材１ｂとからなる。
【００１４】
戸尻側吊車１ａは、後述するガイドレール２１に対し少なくとも所定量転動自在に掛止されるローラ１ａ１と、該ローラ１ａ１を回転自在に支持する支持ブラケット１ａ２と、振れ止め部材４とを具備している（図２及び図３参照）。
この戸尻側吊車１ａの実際の移動量は、折戸１０の全幅に対する一部分（例えば２０〜３０ｍｍ程度）とされる。すなわち、本実施の形態の折戸装置Ａによれば、例えば閉鎖状態の折戸１０に対し人や物等が寄り掛かって、該折戸１０が開放してしまうことのないように、戸尻側吊車１ａによって折戸１０を開口部幅方向の開放方向側（図６によれば左方向側）へ所定量スライドさせた後、該折戸１０の折れ曲がり動作を可能にしている。
【００１５】
支持ブラケット１ａ２は、第一の扉体１１の上端部から上方へ突出する軸部１ａ３を中心にして回転するように装着されている。この支持ブラケット１ａ２の側部には、振れ止め部材４が設けられる。
また、前記軸部１ａ３は、上枠４３の支持片部４３ｂに固定された補強ブラケット１ａ４に遊嵌状に挿通されている。
【００１６】
振れ止め部材４は、ガイド機構２０の凹溝２１ｂ２に嵌り合って上下方向の軸線を中心に回転自在なローラ４ａと、該ローラ４ａを回転自在に支持するブラケット４ｂとからなる（図３参照）。
この振れ止め部材４は、ガイドレール２１の凹溝２１ｂ２に対し、ローラ４ａを上方へ移動不能且つ戸厚方向へ移動不能な状態で嵌め合わせることで、ローラ１ａ１がガイドレール２１の突条２１ｂ１から外れるのを防ぐ。
【００１７】
また、補強ブラケット１ａ４は、図３に示す一例によれば、断面Ｌ字状に形成され、その一片部分を上枠４３の支持片部４３ｂに固定するとともに、他片部分に形成された開口部幅方向の長孔１ａ４１に軸部１ａ３を遊挿している。
この補強ブラケット１ａ４によれば、第一の扉体１１は、前記長孔１ａ４１によって開口部幅方向へ所定量移動可能であるとともに、開口部幅方向に略直交する方向（図３によれば左右方向）への振れが抑制される。
【００１８】
また、回転支持部材１ｂ（図１参照）は、第一の扉体１１下端の基端側を回転自在であって、且つ所定間隔（例えば４０ｍｍ程度）だけ開口部の幅方向へ移動するように支持する周知の機構である。
【００１９】
また、第二の扉体１２は、第一の扉体１１の戸先側に枢支部２を介して接続され、開閉動作の際に第一の扉体１１に相対して回転する。この第二の扉体１２の回転方向は、第一の扉体１１の回転方向に対する逆方向である。
【００２０】
第三の扉体１３は、第二の扉体１２の戸先側に枢支部３を介して接続され、開閉動作の際に第二の扉体１２相対して回転することで、不動部位（枠体４０や床面等）に対しては回転しない状態に維持される。すなわち、第三の扉体１３は、開閉動作の際の枠体４０の上枠４３と略平行な状態に維持される。
この第三の扉体１３の第二の扉体１２に相対する回転方向は、第二の扉体１２の回転方向に対する逆方向である。
【００２１】
また、ガイド機構２０は、開口部幅方向（図１によれば左右方向）へわたるように上枠４３に固定されたガイドレール２１と、該ガイドレール２１に沿って移動するように第三の扉体１３の上端に装着された戸先側吊車２２とを具備している（図２参照）。
【００２２】
ガイドレール２１は、止着片部２１ａと受片部２１ｂとからなる断面略Ｌ字状の長尺部材であり、上枠４３の略全長にわたって固定されている（図２参照）。
また、このガイドレール２１の戸尻側には、折戸１０を全開状態に維持する全開ストッパー２５が装着されている。
【００２３】
受片部２１ｂは、戸厚方向の突端側（図３によれば右端側）に、戸尻側吊車１ａ及び戸先側吊車２２を受けるように上方向きに突出する突条２１ｂ１を有する。この突条２１ｂ１は、ガイドレール２１の長手方向へわたって連続的に設けられている。
更に、同受片部２１ｂには、戸厚方向の基端側（図３によれば左端側）に、振れ止め部材４を遊嵌させる凹溝２１ｂ２を有する。この受片部２１ｂは、ガイドレール２１の長手方向へわたって連続的に設けられている。
【００２４】
戸先側吊車２２は、戸先側吊車２２に沿って転動可能な単数もしくは複数（図示例によれば二つ）のローラ２２ａと、該ローラ２２ａを転動自在に支持するとともに、第三の扉体１３の上端に対し固定された支持ブラケット２２ｂ（図２参照）とからなる。なお、支持ブラケット２２ｂは、第三の扉体１３に対しては回動しないように固定される。
【００２５】
全開ストッパー２５（図２参照）は、ガイドレール２１の戸尻側に固定され弾性的に撓み可能な片状の部材であり、折戸１０が全開状態にある際に、第三の扉体１３上端の支持ブラケット２２ｂを掛止し、その掛止状態を弾性的に撓むことで解除する。
【００２６】
また、閉鎖補助機構３０は、第三の扉体１３上端の支持ブラケット２２ｂに一端側を止着した可撓性長尺部材３１（例えば金属製ワイヤー等）と、上枠４３の戸先側に固定されて前記可撓性長尺部材３１の他端側を巻き取るリール装置３２と、折戸１０の閉鎖動作スピードを緩和する制動装置３３とを具備してなる（図２参照）。
【００２７】
リール装置３２は、内在する付勢部材（例えばゼンマイバネ等）の付勢力によって可撓性長尺部材３１を回転ドラムに巻き取ろうとする装置である。
【００２８】
制動装置３３は、上枠４３に開口部幅方向へわたって固定されたラック歯車状の係合部材３３ａと、該係合部材３３ａと噛み合うピニオン歯車状の回転体３３ｂと、該回転体３３ｂの一方向の回転に抵抗を与えるロータリーダンパー装置３３ｃとから構成され、第三の扉体１３上端の支持ブラケット２２ｂに装着され、折戸１０の閉鎖動作スピードを低減している。
【００２９】
よって、上記閉鎖補助機構３０によれば、全開状態にある折戸１０は、全開ストッパー２５から外されると、閉鎖補助機構３０の可撓性長尺部材３１によって第三の扉体１３が牽引されることで閉鎖動作することになる。その際の閉鎖スピードは、制動装置３３によって適宜に制限される。
【００３０】
また、枠体４０は、戸尻側及び戸先側の側枠４１，４２と、これら側枠４１，４２の上端部間にわたる上枠４３とからなる。
【００３１】
上枠４３は、不動部位（例えば、左右の側枠４１，４２の上端部や、建物の天井、壁面等）に固定される本体部４３ａと、該本体部４３ａに固定されて前記ガイド機構２０を支持する支持片部４３ｂとを有する（図３参照）。
【００３２】
本体部４３ａは、開口部幅方向（図１によれば左右方向）へわたる略平板状の部材であり、その長手方向の両端部がブラケット等を介して左右の側枠４１，４２の上端部に止着されている。
この本体部４３ａの幅方向の両端部には、それぞれ略Ｖ字状に曲げ加工された溝４３ａ１が、開口部幅方向へわたるように形成されている。この溝４３ａ１は、後述する点検カバー５１（又は５２）の上端部を掛止するためのものである。
【００３３】
支持片部４３ｂは、本体部４３ａに対し溶接等の固定手段によって固定される。この支持片部４３ｂには、ガイド機構２０及び戸当り部材６０が止着される。
より詳細に説明すれば、この支持片部４３ｂは、図３に示すように、本体部４３ａに対し垂下状に固定されたガイド支持部４３ｂ１と、該ガイド支持部４３ｂ１の下端から戸厚方向（図３によれば左右方向）へ延びる戸当り支持部４３ｂ２と、該戸当り支持部４３ｂ２の先端側（図３によれば左端側）から上方へ延びる補強片部４３ｂ３とから一体に構成される。
【００３４】
ガイド支持部４３ｂ１は、開口部幅方向（図１によれば左右方向）へ延びる略平板状の部位であり、その表面にはガイドレール２１が止着される。
【００３５】
戸当り支持部４３ｂ２は、ガイド支持部４３ｂ１の下端側を戸厚方向へ曲げて形成された部位であり、その下端面に戸当り部材６０を着脱可能に止着している。戸当り支持部４３ｂ２に対し戸当り部材６０を着脱可能にする手段は、図示例によれば、螺子止めとしているが、嵌合やその他の手段とすることも可能である。
【００３６】
補強片部４３ｂ３は、戸当り支持部４３ｂ２の先端側を上方へ曲げて形成された部位であり、主に支持片部４３ｂの開口部幅方向の剛性を増して撓みを防ぐように作用する。
【００３７】
そして、上記構成の本体部４３ａには点検カバー５１，５２が止着され、支持片部４３ｂには戸当り部材６０が止着される。
【００３８】
一方の点検カバー５１は、ガイド機構２０及び支持片部４３ｂを戸厚方向の一方側（図示例によれば室外側）から覆うようにして配設された略平板状の部材である。
この点検カバー５１の上端側には、上枠４３の溝４３ａ１に掛止するために曲げ加工された掛止部５１ａが設けられている。
また、同点検カバー５１の下端側には、戸厚方向へ曲げ加工された止着部５１ｂが設けられている。この止着部５１ｂは、ネジやボルト等の止着具によって戸当り部材６０の下端面に対し着脱可能に止着される。
【００３９】
他方の点検カバー５２は、ガイド機構２０を戸厚方向の他方側（図示例によれば室内側）から覆うようにして配設された略平板状の部材である。
この点検カバー５２の上端側には、上枠４３の溝４３ａ１に掛止するために曲げ加工された掛止部５２ａが設けられている。
また、同点検カバー５１の下端側は、略Ｌ字状に曲げられ、その開口部幅方向の端部側の部分が、ブラケット等を介して上枠４３に止着されている。
【００４０】
戸当り部材６０は、図３に示す一例によれば、弾性材料からなり折戸１０を戸厚方向に受ける弾性部６１と、剛性材料からなり弾性部６１を支持する剛性部６２とを備え、該剛性部６２を上枠４３における支持片部４３ｂの下端側に着脱可能に止着している。
そして、この戸当り部材６０は、全閉した際の折戸１０における基軸部１の近傍から枢支部２を跨ぎ、更に後述する撓み抑制装置２４を跨ぐ範囲を受けるようにして設けられる。
なお、この戸当り部材６０は、少なくとも撓み抑制装置２４の近傍に設ければよいが、本実施の形態の好ましい一例では、前記範囲を連続的に受けるように設けることで、折戸１０から受ける衝撃を適宜に分散するようにしている。
【００４１】
弾性部６１は、例えばゴムや弾性合成樹脂材料等から縦断面中空状に成形され開口部幅方向へわたる長尺状の部材であり、全閉した際の折戸１０における基軸部１の近傍から枢支部２を跨ぎ、更に後述する撓み抑制装置２４を跨ぐ範囲を受けるようにして設けられる。
【００４２】
剛性部６２は、金属製の板材を曲げ加工することで、縦断面略コ字状に成形され開口部幅方向へわたる長尺状の部材であり、その戸厚方向において折戸１０面に対向する面の下端側に、弾性部６１を嵌合する凹溝６２ａを開口部幅方向へわたって形成している。
この剛性部６２は、その上面部分が、上枠４３における支持片部４３ｂ下端の戸当り支持部４３ｂ２に対し、ネジやボルト等の止着具によって着脱可能に止着される。
また、この剛性部６２の下端面には、点検カバー５１下端側の止着部５１ｂが、ネジやボルト等の止着具によって着脱可能に止着される。
この剛性部６２の剛性は、肉厚あるいは形状や材質等によって適宜に調整され、少なくとも点検カバー５１の剛性よりも高く設定されることが好ましい。
【００４３】
また、上記構成の折戸１０と上枠４３との間には、開放動作する際の第二の扉体１２を戸厚方向（換言すれば折れ曲がり方向）へ案内する蹴り出し装置２３や、折戸１０の全閉状態の撓みを抑制する撓み抑制装置２４等が設けられる（図４参照）。
【００４４】
蹴り出し装置２３は、折戸１０の上端に固定された凸部２３ａと、該凸部２３ａを全閉時に掛止するとともに開放動作時に斜め戸厚方向へ導く受部材２３ｂとからなる。
【００４５】
凸部２３ａは、ネジやボルト等の止着具によって、折戸１０における第二の扉体１２の上端に止着され、その突端側を上方へ向けている。
【００４６】
受部材２３ｂの下半部側には、折戸１０の開閉動作時に移動する凸部２３ａをガイドするように略凹状溝状に形成され、より詳細に説明すれば、その内部に、折戸１０の全閉時に凸部２３ａに対し室内側（図４によれば下方側）から当接する平行通路２３ｂ１と、折戸１０の開放動作時に凸部２３ａを斜めに室内側（図４によれば左斜め下方側）へ案内する傾斜通路２３ｂ２とを有する。
【００４７】
平行通路２３ｂ１は、開口部幅方向に対し略平行に配置される通路であり、その室外側（図４によれば上方側）には、凸部２３ａの室外側への移動を可能にする開口部２３ｂ３が設けられる。
傾斜通路２３ｂ２は、平行通路２３ｂ１に連続するとともに、斜めに室内側（図４によれば左斜め下方側）へ延設された通路であり、その延設方向側の端部には凸部２３ａの室内側への移動を可能にする開口部２３ｂ４が設けられる。
【００４８】
また、撓み抑制装置２４は、折戸１０の上端に固定された凸部２４ａと、該凸部２４ａを全閉時に掛止する受部材２４ｂとからなる。
そして、この撓み抑制装置２４は、開口部幅方向において蹴り出し装置２３よりも戸尻側に配置され、全閉時の折戸１０が室内側へ撓むのを防いでいる。
この撓み抑制装置２４は、特に折戸１０による開口幅が比較的広い場合（例えば９００ｍｍ以上の場合）に、折戸１０の撓みを効果的に抑制する。したがって、折戸１０による開口幅が比較的小さい場合には、撓み抑制装置２４を省くようにしてもよい。
【００４９】
凸部２４ａは、ネジやボルト等の止着具によって、折戸１０における第二の扉体１２の上端であって、蹴り出し装置２３の凸部２３ａよりも戸尻側の箇所に止着され、その突端側を上方へ向けている。この凸部２４ａは、蹴り出し装置２３の凸部２３ａと共通の部品が用いられている。
【００５０】
受部材２４ｂは、折戸１０の全閉時に凸部２４ａに対し室内側（図４によれば下方側）から当接する当接片部２４ｂ１と、該当接片部２４ｂ１に開口された切欠部２４ｂ２を有する。
より詳細に説明すれば、この受部材２４ｂは、板状部材を断面Ｌ字状に曲げ加工することで、その下方向きの略垂直な片部を前記当接片部２４ｂ１とし、この当接片部２４ｂ１に、凸部２４ａを通過させるための切欠部２４ｂ２を形成している。
【００５１】
次に、上記構成の折戸装置Ａについて、その特徴的な作用効果を詳細に説明する。
先ず、折戸１０の全閉状態では、第二の扉体１２上端の凸部２３ａが、受部材２３ｂの平行通路２３ｂ１内に位置し、更に同第二の扉体１２上端の凸部２４ａが、受部材２４ｂにおける当接片部２４ｂ１に対し室外側（図４によれば上方側）から当接可能なように位置する。
また、全閉状態の折戸１０は、戸当り部材６０に対し室内側（図４によれば下方側）から当接可能なように位置する。
よって、全閉状態の折戸１０に対し、その室外方向側又は室内方向側から、例えば人や物が凭れ掛かったりぶつかったり等して戸厚方向の外力が作用した場合であっても、折戸１０が戸厚方向へ撓むようなことを防ぐことができる。
【００５２】
また、全閉状態の折戸１０における戸先側の第三の扉体１３が、戸尻方向（図４及び図６によれば左方向）へ引かれた際には、第二の扉体１２上端の凸部２３ａが、若干戸尻方向へ移動した後、傾斜通路２３ｂ２によって斜め室内側（図４によれば左斜め下方）へ導かれる。そして、その動作に伴い、第二の扉体１２上端の凸部２４ａが、若干戸尻方向へ移動した後、切欠部２４ｂ２を室内側へ通過する。
【００５３】
よって、折戸１０は、３つの扉体１１，１２，１３を全体的に若干戸尻方向へ移動した後、第一の扉体１１と第二の扉体１２との間を、室内側（図４及び図６によれば下方）へ折り曲げるようにして開放動作することになる。なお、この開放動作中、第三の扉体１３は、開口部幅方向に略平行な状態に維持される。
【００５４】
また、全開状態の折戸１０を閉鎖動作する際には、第三の扉体１３が戸先方向（図４及び図６によれば右方向）へ引かれることにより、第一の扉体１１と第二の扉体１２の間の角度が徐々に広がってゆく。そして、折戸１０が全閉状態となる直前で、第二の扉体１２上端の凸部２３ａ，２４ａがそれぞれ受部材２３ｂ，２４ｂに嵌り合う。
折戸１０が全閉する際には、折戸１０の上端側部分が、戸当り部材６０に当接する。この当接の際の衝撃は、戸当り部材６０の弾性部６１の弾性変形によって吸収されることになる。
【００５５】
上述したように、全閉状態の折戸１０に対し室内側から人や物が凭れ掛かったりぶつかったりした場合や、折戸１０が全閉状態まで閉鎖動作した場合には、折戸１０の上端側部分が戸当り部材６０に当接する。
この当接の際の衝撃は、戸当り部材６０の弾性部６１の弾性変形によって吸収しきれなかった場合、主に上枠４３における頑強構造の支持片部４３ｂによって受けられる。そのため、前記衝撃が点検カバー５１へ及ぼす影響は少ない。
しかも、本実施の形態の好ましい一例によれば、戸当り部材６０が折戸１０における基軸部１の近傍から枢支部２を跨ぐ範囲を受けているため、前記衝撃力を戸幅方向（図４及び図６の左右方向）へ略均一に分散することができる。
よって、点検カバー５１が前記衝撃力によって外れたり変形したり等するのを効果的に防ぐことができる。
【００５６】
また、室外側の点検カバー５１及び室内側の点検カバー５２を容易に着脱することができ、例えば、戸当り部材６０を外さずに点検カバー５１を外して、折戸１０上端側部分や上枠４３内に対する点検やメンテナンス等が可能である。
【００５７】
また、非常時等に折戸１０を室外側へ折り曲げて開放したい場合には、先ず点検カバー５１を外し、更に戸当り部材６０を外せばよい。このようにすることで、折戸１０は、図６において上半部側に二点鎖線で示すように、室外側へ折り曲げて開放することが可能となる。
【００５８】
なお、上記実施の形態によれば、三つの扉体１１，１２，１３により折戸１０を構成したが、他例としては、二つあるいは四以上の扉体によって折戸を構成するようにしてもよい。
【００５９】
また、上記実施の形態によれば、上枠４３に対し単一の戸当り部材６０を設ける構成としたが、他例としては上枠４３に対し開口部幅方向へ並ぶ複数の戸当り部材６０を設けるようにすることも可能である。この場合、複数の戸当り部材６０は、全閉した際の折戸１０における基軸部１の近傍から枢支部２を跨ぐ範囲にわたり複数設けることが好ましい。
【００６０】
また、上記実施の形態によれば、閉鎖動作のための駆動源（リール装置３２）のみを設けたが、他例としては、閉鎖動作と開放動作のための駆動源を設けた態様や、開放動作のみの駆動源を設けた態様、駆動源を具備せず手動で折戸１０を開閉する態様等としてもよい。
【００６１】
また、折戸１０を開閉動作させる機構の他例としては、リニアモータによって折戸１０を開放動作及び／又は閉鎖動作させる態様や、コイルスプリング等の付勢部材の付勢力によって折戸１０を開放動作及び／又は閉鎖動作させる態様、ガイドレール２１の傾斜によって折戸１０を開放動作又は閉鎖動作させる態様等とすることが可能である。
【図面の簡単な説明】
【００６２】
【図１】本発明に係る折戸装置の一例を示す正面図である。
【図２】同折戸装置において点検カバーを外した状態の要部正面図であり、（ａ）は折戸を全閉した状態を示し、（ｂ）は折戸を全開した状態を示す。
【図３】同折戸装置における戸尻側部分を示す要部縦断面図である。
【図４】全閉状態の折戸を上方側から視た図である。
【図５】同折戸装置の分解斜視図である。
【図６】同折戸装置の開閉動作を示す模式図である。
【符号の説明】
【００６３】
１０：折戸                  １１：第一の扉体
１２：第二の扉体            １３：第三の扉体
２０：ガイド機構            ２１：ガイドレール
４０：枠体                  ４１，４２：側枠
４３：上枠                  ４３ａ：本体部
４３ｂ：支持片部            ５１，５２：点検カバー
６０：戸当り部材            ６１：弾性部
６２：剛性部
【図１】
2010144474.tif 000003
【図２】
2010144474.tif 000004
【図３】
2010144474.tif 000005
【図４】
2010144474.tif 000006
【図５】
2010144474.tif 000007
【図６】
2010144474.tif 000008